(57)【要約】【課題】料理に使った道具類や食器類も整理しながら一緒に載せることができ、しかも、水切後に折り畳んで小さく立たせれば、濡れた水受け台やまな板などを干すための器具としても利用することのできる食器等水切用ラックを提供する。【解決手段】本願のラック本体は、線材を門型状に屈曲し、その屈曲側を縦格子面３にした２つの枠体２ａ、２ｂを、側面Ｘ状に展開あるいは側面Ｉ状に折り畳み可能に結合し、各枠体の脚部は前記展開時にはＯ脚状に立ち、前記折り畳み時には互いに交差してＸ脚状に立つように曲げられ、かつ一方の枠体の両脚間に線材６を水平に渡設し、該線材に、これを軸として回動可能に設けた棚枠７を下面から支持する突出枠８を設けたことを特徴とし、料理に使った道具類や食器類を整理しながら一緒に載せられ、キッチンを広々ときれいに使え、しかも折り畳み時には突出枠８が露出し、これに水受け台やまな板などが載せられるように構成した。【選択図】図１
0003126090.tif 000002
【実用新案登録請求の範囲】
【請求項１】
線材を門型状に屈曲し、その屈曲側を縦格子面にした２つの枠体を、側面Ｘ状に展開あるいは側面Ｉ状に折り畳み可能に結合し、各枠体の脚部は前記展開時にはＯ脚状に立ち、前記折り畳み時には互いに交差してＸ脚状に立つように曲げられ、かつ、一方の枠体の両脚間に線材を水平に渡設し、該線材に、これを軸として回動可能に設けた棚枠を下面から支持する突出枠を設けたことを特徴とする食器等水切用ラック。
【請求項２】
線材を門型状に屈曲し、その屈曲側を縦格子面にした２つの枠体を、側面Ｘ状に展開あるいは側面Ｉ状に折り畳み可能に結合し、各枠体の脚部は前記展開時にはＯ脚状に立ち、前記折り畳み時には互いに交差してＸ脚状に立つように曲げられ、かつ、一方の枠体の両脚間に線材を水平に渡設し、該線材に、これを軸として回動可能に設けた棚枠を下面から支持する突出枠を設け、さらに、前記枠体の少なくとも一方に平面コ字枠を渡設したことを特徴とする食器等水切用ラック。
【請求項３】
線材を門型状に屈曲し、その屈曲側を縦格子面にした２つの枠体を、側面Ｘ状に展開あるいは側面Ｉ状に折り畳み可能に結合し、各枠体の脚部は前記展開時にはＯ脚状に立ち、前記折り畳み時には互いに交差してＸ脚状に立つように曲げられ、かつ、一方の枠体の両脚間に線材を水平に渡設し、該線材に、これを軸として回動可能に設けた棚枠を下面から支持する突出枠を設けてなるラック本体と、該ラック本体を載せる水受け皿と、前記ラック本体の棚枠へ係止できる箸立て籠とを備えたことを特徴とする食器等水切用ラック。
【考案の詳細な説明】
【技術分野】
【０００１】
本考案は、使用時には大きく展開して洗った皿類やコップ類を整理して並べて水切りができ、不使用時には折り畳んでキッチンの片隅に小さく立て、水受け台やまな板等をまとめて置くことのできる食器等水切用ラックに関するものである。
【背景技術】
【０００２】
従来、食器等水切用ラックには、特開２００２−１１２９４３として開示されているものがある。これは、図４に示す如く、皿水切り器４１と盆４２のセットものである。皿水切り器４１は、底部に皿を保持するのに役立つ複数のリブ４３を設けるとともに、側壁内面にコップを受けるフラップ４４を押出成形してなり、前記盆４２は、前記皿水切り器４１内に収めることができるように小さく折り畳めるように構成してなるもので、梱包、搬送及び保管等において有効なものであった。
【特許文献１】特開２００２−１１２９４３
【考案の開示】
【考案が解決しようとする課題】
【０００３】
しかしながら、上記従来型ラックは、盆４２が皿水切り器４１内に収まるので梱包、搬送及び保管等において便利であったが、皿水切り器４１自身は小さく折り畳むことができず、流し台上の狭いスペースを有効に使える水切りラックとは言えなかった。特に、料理に使った食器類やまな板などの道具類を大容量に整理でき、キッチンを広々ときれいに使えるようにすることを望む者にとって、上記従来型ラックでは不十分であった。
【０００４】
本考案は、上記問題を解消するためのもので、その目的とするところは、料理に使った道具類や食器類も整理しながら一緒に載せることができ、しかも、水切後に折り畳んで小さく立たせれば、濡れた水受け台やまな板などを干すための器具としても利用することのできる食器等水切用ラックを提供することにある。
【課題を解決するための手段】
【０００５】
上記目的を達成するため、本考案に係る食器等水切用ラックは、線材を門型状に屈曲し、その屈曲側を縦格子面にした２つの枠体を、側面Ｘ状に展開あるいは側面Ｉ状に折り畳み可能に結合し、各枠体の脚部は前記展開時にはＯ脚状に立ち、前記折り畳み時には互いに交差してＸ脚状に立つように曲げられ、かつ一方の枠体の両脚間に線材を水平に渡設し、該線材に、これを軸として回動可能に設けた棚枠を下面から支持する突出枠を設けたことを特徴とし、料理に使った道具類や食器類を整理しながら一緒に載せられ、キッチンを広々ときれいに使えるようにし、折り畳み時には突出枠が露出するように構成した。
【０００６】
また、請求項２に記載の考案に係る食器等水切用ラックは、線材を門型状に屈曲し、その屈曲側を縦格子面にした２つの枠体を、側面Ｘ状に展開あるいは側面Ｉ状に折り畳み可能に結合し、各枠体の脚部は前記展開時にはＯ脚状に立ち、前記折り畳み時には互いに交差してＸ脚状に立つように曲げられ、かつ、一方の枠体の両脚間に線材を水平に渡設し、該線材に、これを軸として回動可能に設けた棚枠を下面から支持する突出枠を設け、さらに前記枠体の一方に平面コ字枠を渡設したことを特徴とし、布巾や台ぶきんも干すことができるように構成した。
【０００７】
さらに、請求項３に記載の考案に係る食器等水切用ラックは、線材を門型状に屈曲し、その屈曲側を縦格子面にした２つの枠体を、側面Ｘ状に展開あるいは側面Ｉ状に折り畳み可能に結合し、各枠体の脚部は前記展開時にはＯ脚状に立ち、前記折り畳み時には互いに交差してＸ脚状に立つように曲げられ、かつ、一方の枠体の両脚間に線材を水平に渡設し、該線材に、これを軸として回動可能に設けた棚枠を下面から支持する突出枠を設けてなるラック本体と、該ラック本体を載置する水受け皿と、前記ラック本体の棚枠へ係止できる箸立て籠とを備えたことを特徴とし、ラック本体を水受け台上で展開し、料理に使った道具類や食器類を洗って整理しながら一緒に載せられ、折り畳み時には露出した突出枠に濡れた水受け台やまな板などを干すことができるように構成した。
【考案の効果】
【０００８】
本考案によれば、側面Ｘ状の展開時は料理に使った道具類や食器類も、整理しながら一緒に大容量で載せられ、側面Ｉ状の折り畳み時には調理台の隅等に小さく立ち、しかも、まな板までも干すことができてキッチンを広々ときれいに使えるなど、各種の優れた効果を奏するものである。
【０００９】
また、請求項２に記載の考案によれば、側面Ｘ状の展開時は料理に使った道具類や食器類も、整理しながら一緒に大容量で載せられ、側面Ｉ状の折り畳み時には調理台の隅等に小さく立ち、しかも、まな板までも、また、布巾や台ぶきんをも同時に干すことができるなど、各種の優れた効果を奏するものである。
【００１０】
さらに、請求項３に記載の考案によれば、側面Ｘ状の展開時は水受け台上において洗った道具類や食器類を、整理しながら一緒に載せられ、側面Ｉ状の折り畳み時には台所の片隅等に小さく立ち、しかも、水受け台やまな板までも同時に整理出来、キッチンを広々ときれいに使え、食器洗いが楽しくなるなど、各種の優れた効果を奏するものである。
【考案を実施するための最良の形態】
【００１１】
次に、本考案を実施するための最良の形態を図面に基づいて説明する。図１はラック本体を水受け皿状で側面Ｘ状に展開した時の斜視図、図２は同側面図、図３はラック本体を側面Ｉ状に折り畳んだ時の側面図である。
【００１２】
１はラック本体である。ラック本体１は２つの枠体２ａ、２ｂを結合してなる。２つの枠体２ａ、２ｂは、線材（たとえばステンレス線）を門型状に屈曲し、その屈曲側の側枠内に縦格子面３を設けている。
【００１３】
しかして、前記枠体２ａ、２ｂは、一方の枠体２ａの横幅Ａが、他方の枠体２ｂの横幅Ｂより線材の太さの２倍分だけ狭く形成され、狭い方の枠体２ａを広い方の枠体２ｂの枠内に嵌入するとともに、狭い方の枠体２ａの縦格子面３の桟となる横材３ａの軸端３ａ′を、他方の枠体２ｂの側枠に細線を曲げて固定してなる環体４に嵌挿することにより結合している。したがって、両枠体２ａ、２ｂは、前記横材３ａの軸端３ａ′を中心に、側面Ｘ状に展開（図２参照）することも、側面Ｉ状に折り畳む（図３参照）ことも可能になっている。
【００１４】
前記枠体２ａ、２ｂを側面Ｘ状の展開したときは前記縦格子面３、３は逆三角状に対向し、その拡開角度Ｃは、枠体２ｂの縦格子面３の桟となる横材３ｂの軸端３ｂ′が枠体２ｂの側枠上面に当たることにより規制できるようになっている。側面Ｘ状の展開時の拡開角度Ｃは具体的には１１０度程度でよい。この縦格子面３、３は皿類の周囲を差し込むことができ、逆三角状に対向しておくと、洗った皿などが立てられるので水切りなどにおいて有効である。この場合、縦格子面３の格子間隔や逆三角状の拡開角度は限定されるものではないことは勿論である。
【００１５】
前記枠体２ａ、２ｂのそれぞれの側枠の延長端である脚部５ａと５ｂは、図２の如く、側面Ｘ状に展開した時には互いにＯ脚状（ガニ股状＝両脚が外側に曲がる）に立つように曲げられている。換言すれば、枠体２ａ、２ｂの縦格子面３の傾斜に対し、脚部５ａと５ｂが床面に対してほぼ直角になるように曲げられている。したがって、両枠体２ａ、２ｂを、図３の如く、側面Ｉ状の折り畳んだ時（縦格子面３、３を当接させた時）には枠体２ａの脚部５ａと枠体２ｂの脚部５ｂは互いに交差（左右が入れ替わって）してＸ脚状（内股状＝両脚が内側に曲がる）に立つようになる。
【００１６】
前記枠体２ａ（他方の枠体２ｂでもよい）の脚部５ａ、５ａ間には、線材６が水平に渡設されている。この線材６には棚枠７の一端部に形成したループ７ａが線材６を軸として回動可能に結合している。また、前記線材６には突出枠８が設けられ、前記棚枠７をその下面から支持できるようになっている。もっとも、前記棚枠７の自由端側には床面に当接させる枠材９が取付られ、この上に置いた食器などの重さに耐えられるように構成している。なお、前記枠体２ａ、２ｂのそれぞれの脚部５ａ、５ａと５ｂ、５ｂの床当接部にはソックス部材１０が嵌められている。また、前記枠材９の床当接部にはゴム管１１が嵌められている。
【００１７】
前記ラック本体１には、図１の如く、ステンレス板などを加工して得た水受け台１２が敷かれている。この水受け台１２は、洗った皿類やコップ類などの食器から切られた水を受けるためのものである。したがって、キッチンによっては使用しない場合もある。
【００１８】
前記枠体２ｂ（枠体２ａでも、また、双方でもよい）の縦格子面３を囲む側枠間には平面コ字枠１３が取付られている。これは布巾類１４を干すために有効なものであるが、枠体２ａ、２ｂの展開時にも折り畳み時にも使用可能である。
【００１９】
前記枠体２ａ、２ｂを側面Ｘ状の展開時から側面Ｉ状に折り畳み、前記棚枠７を線材６を軸にしてループ７ａを中心に回動して図３の如く枠体２ａ、２ｂに立て掛けたときは、前記線材６に固定した突出枠８はやや上向きに露出する。この露出した突出枠８には、前記水受け台１２やまな板１５の下端を、図３の二点鎖線の如く、支持できるようになっている。
【００２０】
前記ラック本体１の棚枠７には、図１の如く、箸やスプーンやフォークなどを立てるための箸立て籠１６が係止片１７を介して係止できるようになっている。この箸立て籠１６は、胴部はラック本体１と同様にステンレス線で構成し、床面を水切小穴（図示せず）を有するプラスチック板で構成するとよい。勿論、箸立て籠１６の全体をプラスチック材で籠状に構成してもよい。
【００２１】
次に、本考案の作用について説明する。今、図１及び図２の如く、ラック本体１をキッチンの台板上に置いた水受け皿１２上で、枠体２ａ、２ｂを側面Ｘ状に展開する。これにより枠体２ａ、２ｂの縦格子面３、３は三角状に開く。枠体２ａの脚部５ａ、５ａ間に水平に渡設された線材６に、ループ７ａを介して回動可能に結合している棚枠７を水平にする。この棚枠７は前記線材６から突設した突出枠８にて水平に保持されるとともに、自由端側に取付た枠材９により床面（水受け皿上）に安定的に支持される。
【００２２】
次に、料理に使った皿類やコップ類を洗い、皿類は三角状に拡開している縦格子面３、３に立て、コップ類は安定的に支持されている棚枠７に口を下に臥せるように置く。この縦格子面３、３や棚枠７には料理に使った道具類も洗って一緒に載せることができることは勿論である。かくして、時間の経過とともに皿類やコップ類の水切りが終了するから、順次、皿類やコップ類を食器棚に収納して片づける。
【００２３】
上述の如く、皿類やコップ類等の片づけ後、ラック本体１を、図３の如く、側面Ｉ状に折り畳む。このとき、枠体２ａの脚部５ａと枠体２ｂの脚部５ｂは互いに交差してＸ脚状（内股状）にしっかりと立つようになる。この状態で棚枠７を線材６を軸にして前記ループ７ａを中心にして回動させて枠体２ａ、２ｂに立て掛けると、該線材６から突設した突出枠８が露出する。この露出した突出枠８に水受け台１２を立て掛け、同時に、洗ったまな板１５を二点鎖線の如く立て掛ける。
【００２４】
このように、ラック本体１の折り畳み時では脚部５ａ、５ｂの開き幅は約１５ｃｍ程度となるため、その折り畳み状態にてしっかりと立つことができる。また、ラック本体１は棚枠７を立て掛けた状態では厚さは５ｃｍ程度に納まっている。さらに、前記平面コ字枠１３は２重になり、図３の二点鎖線の如く、複数枚の布巾１４を掛けて干せるようになっている。
【産業上の利用可能性】
【００２５】
本願のラック本体１は、料理に使った皿類やコップ類を洗って水切りするときは、側面Ｘ状に大きく展開し、水切り後は側面Ｉ状に小さく折り畳み、水受け皿や料理に使ったまな板や布巾などを干すために使用できるから、キッチンにおいて利用可能性が極めて大きいものである。
【図面の簡単な説明】
【００２６】
【図１】ラック本体を水受け皿上で側面Ｘ状に展開した時の斜視図である。
【図２】同側面図である。
【図３】ラック本体を側面Ｉ状に折り畳んだ時の側面図である。
【図４】従来型ラックの斜視図である。
【符号の説明】
【００２７】
１  ラック本体
２ａ、２ｂ  枠体
３  縦格子面
４  環体
５ａ、５ｂ  脚部
６  線材
７  棚枠
７ａ  ループ
８  突出枠
９  枠材
１０  ソックス部材
１１  ゴム管
１２  水受け皿
１３  平面コ字枠
１４  布巾
１５  まな板
１６  箸立て籠
１７  係止片
【図１】
0003126090.tif 000003
【図２】
0003126090.tif 000004
【図３】
0003126090.tif 000005
【図４】
0003126090.tif 000006